(57)【要約】【課題】楕円形などの曲面を有するサムターンを採用しているドアでも、速やかにドアロックを開錠する。また、それを防止する器具も提供する。【解決手段】ドアとドア枠の隙間に挿入可能な太さの一本の線材を折り曲げ、操作部１１と、操作部１１に対して折り曲げられた、ドアの厚さより長い直線部分である枢軸部１２と、枢軸部１２に対して折り曲げられた接続部１３と、接続部１３の先端に設けられた、表面に滑り止め処理を施した作業部１４とを備えるドアロック開錠器具を使用する。作業部１４を縦にしてドアとドア枠の隙間に入れ、ドア内部に到達した時点で、操作部１１を操作することにより、枢軸部１２を中心に作業部１４を回転させる。作業部１４がサムターンに接触した時点で、操作部１１に回転力を加え、作業部１４をサムターンの表面に押し付ける。作業部１４をサムターンの表面に強く押し付けた状態でドアロック開錠器具１０全体を移動させることにより、サムターンを回転させ、ドアロックを開錠する。【選択図】  図１
2004204433.tif 000002
【特許請求の範囲】
【請求項１】
ドアとドア枠の隙間に挿入可能な太さの一本の線材を折り曲げてなるドアロック開錠器具において、
ａ）操作部と、
ｂ）操作部に対して折り曲げられた、ドアの厚さより長い直線部分である枢軸部と、
ｃ）枢軸部に対して折り曲げられた接続部と、
ｄ）接続部の先端に設けられた、表面に滑り止め処理を施した作業部と、
を備えることを特徴とするドアロック開錠器具。
【請求項２】
前記作業部の滑り止め処理が、表面に凹凸を設けることである請求項１に記載のドアロック開錠器具。
【請求項３】
前記作業部の滑り止め処理が、表面にゴム状の被覆を設けることである請求項１又は２に記載のドアロック開錠器具。
【請求項４】
前記作業部が前記接続部に対して９０〜１３０゜の角度を成している請求項１〜３のいずれかに記載のドアロック開錠器具。
【請求項５】
前記作業部と接続部が一直線状である請求項１〜３のいずれかに記載のドアロック開錠器具。
【請求項６】
既設のサムターンの周囲を囲う、大径と小径の開口部を有する略椀状のサムターン防護器具であって、弾性を有するプラスチック板材から成り、大径開口部と小径開口部とを接続するように設けた切れ目を開くことによりドアと該サムターンとの間の隙間に小径開口部を差し込んでサムターンの周囲に固定することを特徴とするサムターン防護器具。
【請求項７】
サムターンの周囲に固定した後、上記切れ目を接続する接続手段を設けたことを特徴とする請求項６に記載のサムターン防護器具。
【請求項８】
既設のサムターンの周囲を囲う、大径と小径の開口部を有する略椀状のサムターン防護器具であって、複数の部分に分解した状態でドアと該サムターンとの間の隙間に小径開口部を差し込み、その後該複数の部分を結合することによりサムターンの周囲に固定することを特徴とするサムターン防護器具。
【請求項９】
大径開口部を覆う蓋を有することを特徴とする請求項６〜８のいずれかに記載のサムターン防護器具。
【請求項１０】
サムターンを有する箱状のドアロック収納部の周囲の少なくとも一部に固定することにより該サムターンの周囲を遮蔽する、略コの字状に屈曲した板材から成ることを特徴とするサムターン防護器具。
【発明の詳細な説明】
【０００１】
【発明の属する技術分野】
本発明は、ドアロックをサムターン（つまみ）により開錠するための器具、及びそのような開錠を防護するための器具に関する。
【０００２】
【従来の技術】
鋼線を折り曲げて成るドアロック開錠器具をドアとドア枠との隙間からドアの内側に入れ、先端部を内側のサムターンに引っかけてドアロックを開錠する器具（バイパス方式）は存在する（特許文献１）。
【０００３】
【特許文献１】
実開平６−４５０１８号公報
【０００４】
【発明が解決しようとする課題】
上記従来のバイパス方式のドアロック開錠器具では、サムターンの形状が扁平なものには効果があるが、近年利用度の高い、楕円形などの、表面が滑らかで且つとっかかりの無いサムターンでは、ドアロック開錠器具の先端が滑ってしまい、サムターンを回すことができない。
【０００５】
本発明はこのような課題を解決するために成されたものであり、その目的とするところは、楕円形などの、表面が滑らかで且つとっかかりの無いサムターンを採用しているドアでも速やかにそのドアロックを開錠することができるバイパス方式のドアロック開錠器具を提供することである。
【０００６】
更に、そのような器具を用いた開錠を防止するための、既存のドアのサムターンに容易に後付けすることができる防護器具も提供する。
【０００７】
【課題を解決するための手段】
上記課題を解決するために成された第１の発明は、ドアとドア枠の隙間に挿入可能な太さの一本の線材を折り曲げてなるドアロック開錠器具において、
ａ）操作部と、
ｂ）操作部に対して折り曲げられた、ドアの厚さより長い直線部分である枢軸部と、
ｃ）枢軸部に対して折り曲げられた接続部と、
ｄ）接続部の先端に設けられた、表面に滑り止め処理を施した作業部と、
を備えることを特徴とするものである。
【０００８】
また、それによる開錠を防護するための第２の発明は、既設のサムターンの周囲を囲う、大径と小径の開口部を有する略椀状サムターン防護器具であって、弾性を有するプラスチック板材から成り、大径開口部と小径開口部とを接続するように設けた切れ目を開くことによりドア（ドアに固定したロック収納部を含む。請求項においても同じ。）と該サムターンとの間の隙間に小径の開口部を差し込んでサムターンの周囲に固定することを特徴とするものである。
【０００９】
【発明の実施の形態】
第１発明のドアロック開錠器具の素材である線材は、ドアとドア枠の隙間に挿入可能な程度の太さを有するものであれば、断面が円形である丸線材、断面が三角形、四角形、六角形等の角線材のいずれでもよい。ドアとドア枠の隙間は一般的には３ｍｍ程度であるので、線材の太さ（直径又は対角線の長さ）は３ｍｍ以下としておく。但し、細すぎると強度に欠け、後述の開錠作業を十分確実に行うことができないので、線材の太さは１．５ｍｍ以上とするのが望ましい。
【００１０】
第１発明のドアロック開錠器具は、端から順に操作部、枢軸部、接続部、作業部から成る。操作部は枢軸部に対して折り曲げ、また、接続部も枢軸部に対して折り曲げられている。サムターンはドアのすぐ裏側にあるため、枢軸部と接続部の間の折り曲げ角度はほぼ直角としておくのが望ましい。一方、最近はドアとドア枠の隙間を塞ぐ隙間蓋が設けられていることが多い。従って、操作部と枢軸部の間も折り曲げた方が（特に、直角に近い角度に折り曲げた方が）良い。また、折り曲げることにより、ドアの隙間に入っている枢軸部の回りの回転モーメントを大きくすることができるため、作業部に対して力をかけやすくなり、好ましい。また、操作部にはハンドル等を設けてもよい。
【００１１】
後述のように、開錠作業時には枢軸部はドアとドア枠の間の隙間にあるため、当然、枢軸部の長さはドアの厚さ以上でなければならない。
【００１２】
枢軸部に対して操作部と接続部を共に折り曲げるとき、それら各部は必ずしも同一平面内になくてもよく、操作部と接続部は枢軸部を挟んで互いにやや回転していてもよい。
【００１３】
上記のようにドアに隙間蓋が設けられている場合、その取り付け位置によりドアは外開きと内開きのいずれかになる。そのため、本発明のドアロック開錠器具は、外開きドア用のものと内開きドア用のものの双方を取りそろえておくことが望ましい。
【００１４】
第１発明のドアロック開錠器具によりドアロックを開錠する方法は次の通りである。まず、作業部を縦にしてドアの隙間に入れ、ドア内部に到達した時点で、操作部を操作することにより、枢軸部を中心に作業部を回転させる。作業部がサムターンに接触した時点で、操作部に回転力を加え、作業部をサムターンの表面に押し付ける。作業部をサムターンの表面に強く押し付けた状態でドアロック開錠器具全体を移動させることにより、サムターンを回転させ、ドアロックを開錠する。作業部表面には滑り止め処理が施されているため、作業部はサムターンの表面で滑ることなく、サムターンを回転させる。
【００１５】
第２発明に係るサムターン防護器具は、既設のサムターンに後付けで取り付けるものである。本サムターン防護器具は椀のような形状をしており、その両端に大径開口部と小径開口部を有する。器具本体は弾性を有するプラスチック板材から成り、大径開口部と小径開口部とを結ぶ切れ目を有する。この切れ目で本体を開き、小径開口部の方をドアと該サムターンとの間の隙間に差し込む。すると、弾性により本体が元の形状に戻り、小径開口部がサムターンの付け根を把持する。これにより、本体がサムターンの周囲に確実に固定される。
【００１６】
上記切れ目に接続手段を設け、上記のように防護器具をサムターンの周囲に固定した後、接続手段により切れ目を接続しておくことにより、切れ目を引っかけて開き、そこから上記第１発明のような開錠器具を用いてサムターンを回転するという開錠操作を防止することができ、より確実な防護が可能となる。
【００１７】
第２の発明では、切れ目を複数設けることにより、防護用具を複数の部分に分解してもよい。この場合には、複数の部分に分解した状態でドアと該サムターンとの間の隙間に小径開口部を差し込み、その後これら複数の部分を結合することにより、既設のサムターンの周囲を防護器具で囲う。
【００１８】
これらいずれの形式のものにおいても、大径開口部にそれを覆う蓋を設けることにより、より確実な防護が可能となる。
【００１９】
第２発明の別の実施形態に係るサムターン防護器具は、サムターンを有する箱状のドアロック収納部に後付で取り付けるものである。本サムターン防護器具は略コの字状に屈曲した板材から成り、このコの字の開放部側からドアロック収納部の周囲の少なくとも一部を囲うようにしてドアロック収納部に固定し、サムターンの周囲を遮蔽する。例えば、サムターンがドアロック収納部の上部に設けられている場合、本防護器具はドアロック収納部の上部に取り付け、サムターンがドアロック収納部の下の方に設けられている場合はドアロック収納部の下部に取り付ける。いずれの場合にせよ、本サムターン防護器具がサムターンの周囲を遮蔽することにより、上記第１発明のような開錠器具による開錠を防止する。
【００２０】
【発明の効果】
第１発明のドアロック開錠器具は、作業部の表面とサムターンの表面との摩擦を利用してサムターンを回転するものであるため、従来からの扁平のものばかりでなく、楕円形、更には円形等、サムターンの形状に拘わらずに容易にドアロックを開錠することができる。
【００２１】
第２発明のサムターン防護装置は、そのような開錠器具による開錠操作を確実に防止する。また、この防護装置は簡単且つ低コストで既存のドアロックのサムターンの周囲に後付けすることが可能である。
【００２２】
【実施例】
第１発明の第１の実施例であるドアロック開錠器具１０を図１により説明する。本実施例は外開きのドアに用いるもので、操作部１１が枢軸部１２に対して折れ曲がっているタイプである。素材である線材は、直径３ｍｍの鋼線である。図１（ａ）に示すように、操作部１１と枢軸部１２の間の角度αは９０〜１１０゜程度に、また、接続部１３と枢軸部１２の間の角度βもほぼ同じとなっている。図１（ｂ）に示すように、これらはほぼ同一平面内にある。接続部１３の先端の作業部１４は接続部１３に対して９０〜１３０゜程度の角度（γ）をなすように折り曲げられている。その折り曲げの方向は、操作部１１と枢軸部１２と接続部１３が形成する平面に対して立ち上がる方向である。ドアの種類により、サムターンがドアの左にある場合もあれば右にある場合もある。このサムターンの位置の左右に応じて、接続部１３に対する作業部１４の折れ曲げ方向を反対にしておくことができる（図１（ｂ）破線）。図１（ａ）に示すように、作業部１４は、接続部１３を通り、前記平面に垂直な面に対して、少し傾いていてもよい（δ＝１３０〜２３０゜程度）。
【００２３】
作業部１４の長さは、一般的には２０〜８０ｍｍ程度あれば十分である。接続部１３の長さは対象とするドアの端からサムターンまでの距離により適宜調節するが、現在使用されているドアの殆どに対して、７０〜３００ｍｍとしておくことで対応することができる。枢軸部１２の長さはドアの厚さに依存する。標準的なドアの厚さは約３５ｍｍであるため、枢軸部１２の長さは５０〜１００ｍｍ程度としておく。
【００２４】
作業部１４の表面には、図２に示すように、凹凸を形成しておく。この凹凸は、素材である線材に砥石で刻みを入れたりプレスで押し込みを入れるという方法で形成することができる。また、ヤスリで表面を粗くする方法でもよい。本実施例では、凹凸を設けた上に、作業部１４全体に薄いゴム被覆を被覆した。このゴム被覆は、滑り止め用塗料として市販されている合成樹脂塗料（例えば、ＰＤＩ，  Ｉｎｃ．製の商品名：プラスティディップ等）を用いることができる。なお、滑り止め塗料を塗布するだけでも十分滑り止め処理となり得る。
【００２５】
操作部１１は、作業者がこの器具１０を手に持ち、作業部１４を遠隔操作するための部分である。遠隔にある作業部１４に対して微妙な動きを与え、或る程度の力を加えるために、５０〜１００ｍｍ程度としておく。また、そのような微妙な操作を行いやすいようにするため、作業部１４と同様に上記滑り止め塗料を塗布してもよい。
【００２６】
（ドアロック開錠の手順）第１実施例のドアロック開錠器具１０を用いてドアロック開錠する様子を図３に示す。作業部１４及び接続部１３をドア１６とドア枠（図示せず）の隙間から挿入した後、接続部１３（手元では操作部１１）を回転させ、図３（ａ）に示すように作業部１４をサムターン１５に当てる。接続部１３を上方に引き上げることにより、作業部１４は図３（ｂ）のようにサムターン１５を回転させる。これによりロック１７が後退し、ドアロックが開錠される。この際、作業部１４の表面には滑り止め処理が施してあるので、作業部１４がサムターン１５に対して滑ることはない。
【００２７】
図３（ａ）に示すように、作業部１４の折り曲げた内側の部分をサムターン１５に引っかけてドアロックを開錠する場合、折り曲げ角度γが９０゜より小さいと作業部１４をサムターン１５にあてがいにくくなる。
【００２８】
（実施例２）第１発明の第２実施例のドアロック開錠器具２０を図４に示す。この例は、外開きのドアでサムターンの周囲にギザギザがあるものに用いるもので、操作部２１が枢軸部２２に対して折れ曲がり、さらにハンドル部を設けたタイプである。図４（ａ）に示すように、操作部２１と枢軸部２２の間の角度αは１２０〜１５０゜程度に、また、接続部２３と枢軸部２２の間の角度βは９０〜１２０゜程度となっている。図４（ｂ）に示すように、これらはほぼ同一平面内にある。接続部２３の先端の作業部２４は接続部２３に対して９０〜１３０゜程度の角度（γ）をなすように折り曲げられている。その折り曲げの方向は、操作部２１と枢軸部２２と接続部２３が形成する平面に対して立ち上がる方向である。また、滑り止め部は、サムターンに当たる側の面にサムターンのギザギザに対応する凹凸を設けた。
【００２９】
（ドアロック開錠の手順）ドアロック開錠器具２０によりドアロック開錠する様子を図５に示す。作業部２４及び接続部２３をドア２６とドア枠（図示せず）の隙間から挿入した後、接続部２３（手元では操作部２１）を回転させ、図５（ａ）のように作業部２４をサムターン２５に当てる。
【００３０】
接続部２３を上方に引き上げることにより、作業部２４は図５（ｂ）のようにサムターン２５を回転させる。これによりロック２７が後退し、ドアロックが開錠される。この際、作業部２４表面の滑り止め処理がサムターン２５の周囲の細かい凹凸形状とほぼ一致して引っかかるので、容易にドアロックの開錠ができる。
【００３１】
（実施例３）第１発明の第３実施例のドアロック開錠器具３０を図６に示す。本実施例は内開きのドアに用いるタイプである。この例では、枢軸部３２は接続部３３に対してほぼ直角としている。操作部３１も枢軸部３２に対してほぼ直角とし、作業性を考慮して、接続部３３に対して角度をなすように折り曲げた。さらに、操作部３１には、握り易さを考慮し、鋼線材を折り曲げることによりハンドルを形成した。作業部３４は、接続部３３に対して折り曲げることなく、一直線状に延ばした。作業部３４の表面には、滑り止め処理としてゴム状の被覆を被覆した。
【００３２】
（ドアロック開錠の手順）ドアロック開錠器具３０によりドアロックを開錠する手順を図７に示す。作業部３４及び接続部３３をドア３６とドア枠（図示せず）の隙間から挿入した後、接続部３３（手元では操作部３１）を回転させ、図７（ａ）のように作業部３４をサムターン３５に当てる。
【００３３】
作業部３４をサムターン３５に押し当てながら接続部３３を上方に押し上げる。作業部３４の滑り止め部とサムターン３５との間の摩擦により、作業部３４はサムターン３５に対して滑ることなくサムターン３５を回転させる（図７（ｂ））。これによりロック３７が後退し、ドアロックが開錠される。
【００３４】
（実施例４）第１発明の第４の実施例であるドアロック開錠器具４０を図８に示す。本実施例は外開きのドアに用いるタイプである。枢軸部４２と接続部４３の間の角βは９０゜よりやや大きい角度（１００゜程度）とし、枢軸部４２と操作部４１の間の角αも同様に９０゜よりもやや大きい角度（９５゜程度）とした。作業部４４は接続部４３に対して約９５゜（γ）で折り曲げ（図８（ｂ））、折り曲げ方向は、枢軸部４２に対し、１２０゜（δ）となる方向とした（図８（ａ））。また、滑り止め部は、サムターンに当たる側の面に細かい角形のスリットを設け、さらに作業部４４全体に薄いゴム状の被覆を設けた。
【００３５】
（ドアロック開錠の手順）ドアロック開錠器具４０によりドアロック開錠する様子を図９に示す。作業部４４及び接続部４３をドア４６とドア枠（図示せず）の隙間から挿入した後、接続部４３（手元では操作部４１）を回転させ、図９（ａ）のように作業部４４をサムターン４５に当てる。
【００３６】
接続部４３を押し下げることにより作業部４４は図９（ｂ）のようにロック用サムターン４５を回転させる。これによりロック４７が後退し、ドアロックが開錠される。この際、作業部４４の表面には滑り止め処理が施してあるので、作業部４４がサムターン４５に対して滑ることはない。
【００３７】
（実施例５）第２発明の第１実施例であるサムターン防護器具を図１０及び図１１により説明する。図１０（ａ）、（ｂ）に示すように、本実施例の防護器具５０はプラスチック板材から成る椀形の器具であり、大径開口部５１と小径開口部５２とを結ぶ切れ目５３を有する。図１０（ｃ）に示すように、その切れ目５３で本体を押し開き、既設のドア５５（ドアロック５６収納部を含む）とサムターン５４との間の隙間に小径開口部５２を差し込むことにより、図１１に示すように防護器具５０をサムターン５４の周囲に固定する。
【００３８】
これにより、前記のようなドアロック開錠器具を使用したサムターン５４の回転による開錠を防止することができる。
【００３９】
上記の防護器具によりほとんどの開錠の試みを排除することができるが、時間をかければ、切れ目５３の位置を探し当て、そこを押し開いて開錠器具を内部に侵入させることが不可能ではない。そこで、図１２に示すように、切れ目５３を接続して固定するための接続具５７を設け、開錠器具を防護器具５０をサムターン５４の周囲に固定した後、この接続具５７で切れ目５３を固着することにより、上記のような侵入をも確実に防止することが可能となる。
【００４０】
さらに、大径開口部５１側からの侵入（ドアの反対側からここを経由してサムターンまで侵入し、回転することは実際上困難であるが）をも防止するために、図１３に示すように、大径開口部５１に蓋を設けてもよい。図１３（ａ）は面内回転型の蓋５８の例であり、同図（ｂ）は面外回転型の蓋５９の例である。これらのように本体と連結されたものばかりではなく、完全に取り外すような蓋であってもよい。
【００４１】
（実施例６）第２発明の第２実施例であるサムターン防護器具を図１４により説明する。本実施例の防護器具６０は、切れ目を２本設けることにより２分割型としたものであり、図１４（ａ）に示すように、同一の形状の２個の半割部分６３ａ、６３ｂから成る。各半割部分の一方の端には係合用の穴６４ａ、６４ｂが設けられ、他方の端には突出部６５ａ、６５ｂが形成されて、その裏側に係合突起６６ａ（図示せず）、６６ｂが設けられている。係合用の穴６４ａと係合突起６６ｂとは図１４（ｂ）のように係合するようになっており、両端で２個の半割部分６３ａ、６３ｂをこのように係合することにより、図１４（ｃ）に示すような椀形の防護器具６０が完成する。
【００４２】
２分割形サムターン防護器具のその他の例を図１５に示す。図１５（ａ）は、断面形状を「コ」の字形にしたものであるが、これも本願発明で言う「略椀状」に含まれる。図１５（ｂ）も同様に全体の形状としては同図（ａ）と同様であるが、小径部７２の周囲に段差７３を設け、サムターンの取り付け部がやや沈下しているドアロックに適合させた防護器具である。両半割部分を係合する方法としては、図１４に示したものの他に、図１５（ｃ）に示すような溝嵌合方式のもの７４も使用することができる。
【００４３】
（実施例７）第２発明の第３実施例であるドアロック収納部遮蔽型サムターン防護器具を図１６により説明する。図１６（ａ）、（ｂ）に示すように、本実施例の防護器具８０は、略コの字状に屈曲した板材から成るサムターン防護器具であって、ドアロック収納部８１の上部の周囲に固定することによりサムターン８２を有する箱状のドアロック収納部８１の上部を遮蔽する。なお、ほとんどのドアロックではサムターン８２は図１６に示すようにドアロック収納部８１の上部（ノブ８３の上）に設けられているため、本実施例のサムターン防護器具８０もドアロック収納部８１の上部に固定するが、サムターン８２がドアロック収納部８１の下部（ノブ８３の下）に設けられている場合には、本実施例のサムターン防護器具８０もドアロック収納部８１の下部に固定する。
【００４４】
また、図１６（ｃ）に示すように、使用者によるサムターン８２の操作を容易にするため、防護器具８０の前縁８５を曲げてサムターン８２の周囲のスペースを広くしてもよい。
【００４５】
本防護器具８０を固定する方法としては、ドアロック収納部８１の側面の立ち上げ部と防護器具８０の内側とを両面テープにより接着する方法や、本体の材質に弾性を有する素材を使用し、ドアロック収納部８１をその本体の弾性により挟み込み固定する方法などが考えられる。
【００４６】
また、図１７に示すように、サムターン防護器具８０の内側に突出する固定部８６を設け、ドア８４とドアロック収納部８１との間に固定部８２を挟み込むことにより、より確実にサムターン防護器具８０を固定することが可能となる。
【００４７】
これらのサムターン防護器具８０により、前記のようなドアロック開錠器具を用いたサムターン８２の回転による開錠を防止することができる。また、図７に示すように、開錠器具３４がドアノブ側から侵入するような場合であっても、本サムターン防護器具８０の存在により開錠器具３４の可動範囲が制限されるため、開錠操作は困難となる。
【図面の簡単な説明】
【図１】第１発明の第１実施例のドアロック開錠器具の正面図（ａ）及び側面図（ｂ）。
【図２】第１実施例のドアロック開錠器具の作業部の拡大図。
【図３】第１実施例のドアロック開錠器具によりドアロックを開錠する際の様子を示す図。
【図４】第１発明の第２実施例のドアロック開錠器具の正面図（ａ）及び側面図（ｂ）。
【図５】第２実施例のドアロック開錠器具によりドアロックを開錠する際の様子を示す図。
【図６】第１発明の第３実施例であるドアロック開錠器具の斜視図。
【図７】第３実施例のドアロック開錠器具によりドアロックを開錠する様子を示す図。
【図８】第１発明の第４実施例であるドアロック開錠器具の正面図（ａ）及び側面図（ｂ）。
【図９】第４実施例のドアロック開錠器具によりドアロックを開錠する様子を示す図。
【図１０】第２発明の第１実施例であるサムターン防護器具（実施例５）の正面図（ａ）、側面図（ｂ）及び切れ目で開いた状態の正面図（ｃ）。
【図１１】実施例５のサムターン防護器具を既存のドアロックのサムターンの周囲に固定した状態を示す正面図（ａ）及び側面一部断面図（ｂ）。
【図１２】接続具付サムターン防護器具の斜視図。
【図１３】蓋付サムターン防護器具の第１例の正面図（ａ）、及び第２例の側面一部断面図（ｂ）。
【図１４】第２発明の第２実施例である２分割型サムターン防護器具（実施例６）の平面図（ａ）、係合部の拡大断面図（ｂ）及び完成後の断面図（ｃ）。
【図１５】２分割型サムターン防護器具の第１変形例を示す断面図（ａ）、第２変形例を示す断面図（ｂ）及び係合部の拡大断面図（ｃ）。
【図１６】第２発明の第３実施例であるサムターン防護器具（実施例７）の正面図（ａ）及び側面一部断面図（ｂ）、変形例を示す一部断面図（ｃ）。
【図１７】実施例７の固定部付サムターン防護器具の斜視図。
【符号の説明】
１０、２０、３０、４０  …  ドアロック開錠器具
１１、２１、３１、４１  …  操作部
１２、２２、３２、４２  …  枢軸部
１３、２３、３３、４３  …  接続部
１４、２４、３４、４４  …  作業部
１５、２５、３５、４５、５４、８２  …  サムターン
１６、２６、３６、４６、５５、８４  …  ドア
１７、２７、３７、４７、５６  …  ドアのロック
５０、６０、７０、８０  …  サムターン防護器具
５１、６１、７１  …  大径部
５２、６２、７２  …  小径部
８１  …  ドアロック収納部
８３  …  ドアノブ
【図１】
2004204433.tif 000003
【図２】
2004204433.tif 000004
【図３】
2004204433.tif 000005
【図４】
2004204433.tif 000006
【図５】
2004204433.tif 000007
【図６】
2004204433.tif 000008
【図７】
2004204433.tif 000009
【図８】
2004204433.tif 000010
【図９】
2004204433.tif 000011
【図１０】
2004204433.tif 000012
【図１１】
2004204433.tif 000013
【図１２】
2004204433.tif 000014
【図１３】
2004204433.tif 000015
【図１４】
2004204433.tif 000016
【図１５】
2004204433.tif 000017
【図１６】
2004204433.tif 000018
【図１７】
2004204433.tif 000019